(57)【特許請求の範囲】
【請求項１】
軸筒内に収納した複数のリフィールにスライドカムを接続し、該スライドカムの係合突起が摺動する略山形状のスライド溝を有する作動カムを軸筒に設け、該作動カムを回転して所望のリフィールを軸筒の先端から筆記位置に突出させると共に他のリフィールを収納位置に後退させるようにした複式筆記具において、前面に弧状のカム面を有する略筒状の第１カム部材と後面に弧状のカム面を有する略筒状の第２カム部材を形成し、該第１カム部材と第２カム部材には相補的に組み合わせたとき長手方向に延びる内筒を形成するよう半割り筒状片がそれぞれ設けられ、該第１カム部材と第２カム部材を対向するカム面によりスライド溝を形成するよう相補的に組み合わせて略筒状体の作動カムを形成し、該作動カムの外周に長手方向に移動可能に上記スライドカムを嵌着したことを特徴とする複式筆記具。
【請求項２】
上記スライドカムは、作動カムの外周の一部に沿った断面略弧状のスライドカム本体を有し、スライドカム本体の側縁が軸筒内に形成したガイド部材に案内されて長手方向に移動する請求項１に記載の複式筆記具。
【請求項３】
上記軸筒と作動カムの間には、作動カムが回転して上記リフィールのいずれかが筆記位置に移動したときおよび収納位置に移動したとき該作動カムをその位置に仮保持するよう凹凸係合部が設けられている請求項１または２に記載の複式筆記具。
【請求項４】
上記作動カムは、軸筒の凹凸係合部に向けて付勢されている請求項３に記載の複式筆記具。
【請求項５】
上記軸筒はリフィールの先端が突出する先端孔を形成した本体下と、上記スライドカムを長手方向に移動可能に収納するとともに上記作動カムを回転可能に収納し上記本体下に連結される中本体と、該中本体の外周に嵌挿され上記作動カムの後端が固着される本体上を具備する請求項１または２に記載の複式筆記具。
【請求項６】
上記中本体の内面と作動カムの外周間には、該作動カムが回転して上記リフィールのいずれかが筆記位置に移動したときおよび収納位置に移動したとき作動カムをその位置に仮保持するよう凹凸係合部が設けられている請求項５に記載の複式筆記具。
【請求項７】
上記本体上と中本体にはリフィールの位置合わせをするための表示が設けられ、上記作動カムは位置合わせした状態で本体上の後端に取付けた尾栓に固定されている請求項５または６に記載の複式筆記具。
【請求項８】
上記本体上と中本体の間にはばねが設けられている請求項５から７のいずれかに記載の複式筆記具。
【発明の詳細な説明】
【技術分野】
【０００１】
本発明は、複数のリフィールを本体内に収納した複式筆記具に関し、特に回転操作によりリフィールを繰り出す形式の複式筆記具に関するものである。
【背景技術】
【０００２】
多色ボールペン等複数のリフィールを本体内に収納し、作動カムを回転して所望のリフィールを選択的に筆記位置に突出させるとともに他のリフィールを収納位置に後退させるようにした筆記具が広く用いられている。このような複式筆記具として、略山形状（螺旋状）のスライド面を形成し、リフィール後端に取り付けたスライドカムを該スライド面にそれぞればねで押し付け、スライド面に各スライドカムを密着させた状態でスライド面を回転させて軸筒の長手方向に移動させる構造や、ばねを用いないで回転軸に形成した螺旋状のカム溝に摺動コマを係合させてリフィールを軸筒の長手方向に選択的に移動させる構造が知られている（例えば特許文献１参照）。しかし、特許文献１に記載の回転軸は棒状の回転軸の表面に螺旋状に凹んだカム溝を形成しなければならないので、通常の金型を使用したプラスチックの成形方法ではカム溝部分がアンダーカットとなって製造がむずかしく、設計通りの形状に形成することができず、精度よい製品を簡単かつ経済的に得ることができない。
【０００３】
また、作動カムを、カム溝の後側側壁を構成する後カムと、カム溝の前側側壁を構成する前カムの２部品で構成してカム溝を形成することも提案されている（例えば特許文献２参照）。しかし、特許文献２に記載の作動カムは、後部外筒の内部に該外筒と一体的に後カムを形成し、この後部外筒の前方から外筒の内面に密着するように筒状の前カムを圧入して後部外筒の内面にカム溝を形成している。このように、カム溝は後部外筒の内面に内方に向けて開口しており、リフィールに連結したスライダ−はこの作動カムの内方に挿入され、該スライダーのカム突起を外方に突出させて内側から上記カム溝に係合させる構造である。したがって、特許文献２に記載の筆記具は、複数のリフィールを取り囲む仮想円の外周に作動カムを位置させなければならないので、省スペースで作動カムを構成することができず、軸筒全体が太くなり、比較的細身の複式筆記具が得られない。また、スライダーのカム突起を上記カム溝に挿入するために上記カム溝の一部に前方に開放する開口を設けなければならないし、かつスライダーをカム溝の係止部に押し付けるためのばねが必要であり、構造が複雑である。
【０００４】
さらに、従来の複式筆記具では作動カムを回転して所定位置まで回転させたときリフィールの位置が不明確であるため、リフィールの先端が突出したままであると衣服等を汚染するおそれがあり、組み立て時にリフィールや軸筒と作動カムを位置決めすることも面倒であった。
【特許文献１】特許第３７５８７９６号公報（請求項２、図１、図６）
【特許文献２】特開平１１−２０８１８６号公報（請求項２、段落０００９、００１０、図１、図４）
【発明の開示】
【発明が解決しようとする課題】
【０００５】
本発明の解決課題は、複数のリフィールを有し作動カムを回転させて所望のリフィールを出没させるタイプの複式筆記具において、構造が簡単で全体を細身に形成することも可能であり、リフィールの位置を明確にすることができ、経済的に得られる複式筆記具を提供することである。
【課題を解決するための手段】
【０００６】
本発明によれば、軸筒内に収納した複数のリフィールにスライドカムを接続し、該スライドカムの係合突起が摺動する略山形状のスライド溝を有する作動カムを軸筒に設け、該作動カムを回転して所望のリフィールを軸筒の先端から筆記位置に突出させると共に他のリフィールを収納位置に後退させるようにした複式筆記具において、前面に弧状のカム面を有する略筒状の第１カム部材と後面に弧状のカム面を有する略筒状の第２カム部材を形成し、該第１カム部材と第２カム部材を対向するカム面によりスライド溝を形成するよう相補的に組み合わせて略筒状体の作動カムを形成し、該作動カムの外周に長手方向に移動可能に上記スライドカムを嵌着したことを特徴とする複式筆記具が提供され、上記課題が解決される。
【０００７】
また、本発明によれば、上記第１カム部材と第２カム部材は、相補的に組み合わせたとき長手方向に延びる内筒を形成するよう半割り筒状片をそれぞれ有し、上記スライドカムは、作動カムの外周の一部に沿った断面略弧状のスライドカム本体を有し、スライドカム本体の側縁が軸筒内に形成したガイド部材に案内されて長手方向に移動する。上記軸筒はリフィールの先端が突出する先端孔を有する本体下と、上記スライドカムを長手方向に移動可能に収納するとともに上記作動カムを回転可能に収納し上記本体下に連結される中本体と、該中本体の外周に嵌挿され上記作動カムの後端が固着される本体上を具備する。上記軸筒と作動カムの間には、作動カムが回転して上記リフィールのいずれかが筆記位置に移動したときおよび収納位置に移動したとき該作動カムをその位置に仮保持するよう凹凸係合部が設けられている。上記本体上と中本体にはリフィールの位置合わせをするための表示が設けられ、上記作動カムは位置合わせした状態で本体上の後端に取付けた尾栓に固定される。上記作動カムは軸筒の凹凸係合部に向けてばねで付勢されている。
【発明の効果】
【０００８】
本発明は上記のように構成され、軸筒内に収納した複数のリフィールにスライドカムを接続し、該スライドカムの係合突起が摺動する略山形状のスライド溝を有する作動カムを軸筒に設け、該作動カムを回転して所望のリフィールを軸筒の先端から筆記位置に突出させると共に他のリフィールを収納位置に後退させるようにした複式筆記具において、前面に弧状のカム面を有する略筒状の第１カム部材と後面に弧状のカム面を有する略筒状の第２カム部材を形成し、該第１カム部材と第２カム部材を対向するカム面によりスライド溝を形成するよう相補的に組み合わせて略筒状体の作動カムを形成したから、該第１カム部材と第２カム部材にはスライド溝を形成するためのアンダーカットが不要になり、製造が簡単で精度の高い製品を経済的に得ることができる。この第１カム部材と第２カム部材内に半割り筒状片を設けて組み合わせて内筒を形成するようにするとカム面を薄く形成しても作動時にカム面が変形したり、しなったりするおそれがなく、確実にリフィールを移動させることができる。
【０００９】
また、略筒状に形成された上記作動カムの外周にスライドカムを嵌着して該スライドカムが長手方向に移動するようにしたので、作動カム部分を小さく構成でき、結果として筆記具全体を細身に構成することができる。その上、作動カムと軸筒間に凹凸係合部を設け、リフィールのいずれかが筆記位置に移動したときおよび収納位置に移動したときに該凹凸係合部が係合して作動カムをその位置に仮保持するようにすると、作動カムを回転させたとき指先につたわる感覚でリフィールの位置がわかり、従来のように突出したままのペン先で衣服等を汚染するおそれもない。この作用は、作動カムを軸筒の凹凸係合部に向けてばねで付勢しておくと、一層確実である。さらに、リフィールの位置と作動カムの位置が明確になるので、全体を組み立てるとき、位置決めが容易であり、組み立て効率がよい。
【発明を実施するための最良の形態】
【００１０】
図１は、本発明の筆記具の一実施例を示し、複数のボールペンやノック式シャープペンシル等のリフィール１、図に示す実施例では３本のリフィール１を収納する軸筒２は、本体下３と、該本体下３の後部に連結される中本体４と、該中本体４の外周に嵌着した本体上５で構成され、該本体上５はばね６で後方に付勢されている。本体下３には上記リフィール１の先端が突出する先端孔７が形成され、後部に形成したねじ部８に中本体４のねじ部９を螺合し、該中本体４のフランジ１０が本体下３の後端にあたった状態で連結している。この連結は、ねじ着に替えて凹凸嵌合等の適宜の係合手段で連結してもよい。該中本体４の内面にはスライドカム１１の移動を案内するガイド部材１２が軸方向に沿って形成され、また後部の小径に形成した内段部４ａには作動カム１３のフランジ部２５が当接しこの内段部４ａには作動カム１３を仮保持するための凹凸係合部１４が形成され、該作動カム１３は上記ばね６により該凹凸係合部１４方向に付勢されている。
【００１１】
上記スライドカム１１は、図３に示すように、上記作動カム１３の外周の一部に沿うよう断面略弧状に形成されたスライドカム本体１５を有しており、該スライドカム本体１５の両側縁は上記中本体４のガイド部材１２に摺接し、それによりスライドカム１１は回転不能状態で長手方向に移動可能である。該スライドカム本体１５の後部内面には上記作動カム１３のスライド溝１６に摺動可能に係合する係合突起１７が形成され、前部に設けた当接壁１８の前方にはリフィール１を連結するための取付片１９が形成されている。
【００１２】
上記作動カム１３は、第１カム部材２０と、該第１カム部材２０と別体に形成した第２カム部材２１を組み合わせて略筒状体に構成されている。第１カム部材２０は、図４に示すように、内面に略半円形の挿通孔２２を有する筒状の第１カム本体基部２３を形成し、その後端に小径の接続部２４を設け、該基部２３に形成したフランジ部２５の前面に前方に向けて略山形状に狭まるカム面２６を設け、中心部に長手方向前方に延びる半割り筒状片２７を有している。該フランジ部２５には上記中本体４の凹凸係合部１４に係合する凹凸係合部２８が形成され、内面には第２カム部材２１を係止するための係止突起２９が隆起している。また、上記接続部２４には長手方向に延びる受溝３０があり、該受溝３０には尾栓３１と係合する掛止突起３２が形成されている。
【００１３】
上記第２カム部材２１は、図５に示すように、内面に略半円形の挿通孔３３を形成した筒状の第２カム本体基部３４を有し、その後面に後方に向けて略山形状に拡がるカム面３５を形成し、中心部に長手方向後方に延びる半割り筒状片３６を設け、該筒状片３６の外面には第１カム部材２０の内面に形成した係止突起２９に係合する係止凹部３７が形成されている。
【００１４】
作動カム１３は、上記第１カム部材２０と第２カム部材２１を図６に示すように向かい合わせ、対向する上記カム面２６，３５により略山形状のスライド溝１６を形成するよう相補的に組み合わせる。このとき、第１カム部材２０の挿通孔２２に第２カム部材２１の半割り筒状片３６を挿入すると同時に第２カム部材２１の挿通孔３３に第１カム部材２０の半割り筒状片２７を挿入し、図１に示すように上記第２カム部材２１の半割り筒状片３６の先端が上記第１カム部材２０の内段部３８に当たるまで挿入すれば、上記半割り筒状片２７、３６により内筒が形成され、上記係止突起２９と係止凹部３７が係合して、図７に示すように回り止め状態で簡単に組み立てできる。なお、第１カム部材２０と第２カム部材２１の連結構造は、上記半割り筒状片に代えて適宜の構成にしてもよい。例えば第２カム部材２１に円筒状の接続筒（図示略）を形成し、該接続筒を第１カム部材２０に挿入して回り止め状態で固定するようにしてもよい（図示略）。
【００１５】
上記中本体４の内段部４ａおよび作動カム１３の第１カム部材２０のフランジ部２５に形成した凹凸係合部１４、２８は、作動カム１３を回転してリフィール１のいずれかが筆記位置に移動したときおよび収納位置に移動したとき該作動カム１３をその位置に仮保持できるよう構成される。実施例においては、中本体４と作動カム１３のいずれか一方の部材に突起を設け、他方の部材に該突起が係合する凹凸部を形成してある。具体的には、図８に示すように、作動カム１３に、側面を傾斜面若しくは弧状に形成した突起３９を設け、中本体４に略波型状の凹凸部４０を形成してある。この凹凸部４０はリフィール１の一つが筆記位置にあるとき（図８Ａ）、上記突起３９が嵌入する平底状凹部４１と、リフィール１が収納位置にあるとき（図８Ｂ）、上記突起３９が嵌入する傾斜面状凹部４２を具備している。
【００１６】
上記本体上６の内面の後部には長手方向に延びるガイド片４３と周方向に延びる係止突起４４が設けられている（図９参照）。該本体上５の開口部を塞ぐ尾栓３１は、図１０に示すように、上記本体上５のガイド片４３に挿入される案内溝４５と本体上５の係止突起４４に係合する連結溝４６を有し、内面に上記作動カム１３の受溝３０に挿入されるガイド片４７と作動カム１３の掛止突起３２が係合する係合孔４８が設けられている。そして、上記本体上５の後端に上記尾栓３１を固着し、これを上記作動カム１３の接続部２４に連結すれば、該作動カム１３と本体上５は回転不能状態に接続される。このとき、本体上５と中本体４にリフィールの種類を示す適宜の表示（図示略）を設けておけば、該表示とリフィールの位置合わせをした状態で容易に作動カムと本体上を固定することができる。
【００１７】
組み立てに際しては、最初に第１カム部材２０と第２カム部材２１を連結して作動カム１３を形成し、この作動カム１３のスライド溝１６に係合突起１７を挿入した状態でスライドカム１１を作動カム１３の外周に嵌着し、これを中本体４の前方から該中本体内に挿入する。そして、スライドカム１１が筆記位置若しくは収納位置に位置している状態を確認しながら上記凹凸係合部１４、２８を所定の位置にあわせる。一方、上記本体上５には尾栓３１を固着しておく。その後、中本体４の後部にばね６を挿入し、本体上５の外周に設けた表示に一致するように該本体上５を中本体４の後端から突出している作動カム１３の接続部２４にかぶせ、上記尾栓３１と該接続部２４を連結し、本体下３をこの中本体４に連結する。それにより、図１１に示すように、中本体４のガイド部材１２により回転方向の移動を規制されたスライドカム１１が作動カム１３の外周に嵌着し、該作動カム１３を回転した際該スライドカム１１が長手方向に移動する構造に組み立てることができる。
【００１８】
使用に際し、上記本体上５を回転すると、作動カム１３が回転して上記スライドカム１１はスライド溝１６に沿って長手方向に移動し、該スライド溝の形状により１つのリフィールは前進し、他のリフィールは後退し、前進したリフィールはその先端が本体下３から突出して筆記位置に至る。このとき、図８Ａに示すように、作動カム１３の突起３９は中本体４の平底状凹部４１に入り込み、位置決めされ、筆記位置に仮保持される。このときの感覚は使用者の指先に伝わるから、筆記位置を確認することができる。上記筆記状態にあるリフィールを後退させるときは、上記作動カム１３を回転させ、上記リフィールに取り付けたスライドカム１１を図８Ｂのように後退させればよい。このとき、上記作動カム１３の突起３９は傾斜面状凹部４２に入り込み、リフィールは収納位置に移動するから、このときの感覚が指先に伝わり、その位置を確かめることができる。なお、上記ばね６は、リフィールがノック式シャープペンシルの場合は必須であるが、ボールペン等の場合は省略することもできる。
【図面の簡単な説明】
【００１９】
【図１】本発明の一実施例を示す断面図。
【図２】中本体の断面図。
【図３】スライドカムを示し、Ａは平面図、Ｂは正面図、Ｃは断面図、Ｄは左側面図。
【図４】第１カム部材を示し、Ａは平面図、Ｂは正面図、Ｃは断面図、Ｄはカム面の展開図。
【図５】第２カム部材を示し、Ａは平面図、Ｂは正面図、Ｃは底面図、Ｄは断面図、Ｅはカム面の展開図。
【図６】作動カムの分解斜視図。
【図７】作動カムの正面図。
【図８】作動カムの説明図であって、Ａは筆記状態、Ｂは収納状態を示す説明図。
【図９】本体上を示し、Ａは半断面した斜視図、Ｂは断面図、Ｃは一部の縦断面図。
【図１０】尾栓を示し、Ａは斜視図、Ｂは断面図。
【図１１】作動カムとスライドカムの関係を示す断面図。
【符号の説明】
【００２０】
１    リフィール
２    軸筒
３    本体下
４    中本体
５    本体上
１１  スライドカム
１３  作動カム
１６  スライド溝
２０  第１カム部材
２１  第２カム部材
２６、３５  カム面
３１  尾栓
【図１】
0004814901.tif 000002
【図２】
0004814901.tif 000003
【図３】
0004814901.tif 000004
【図４】
0004814901.tif 000005
【図５】
0004814901.tif 000006
【図６】
0004814901.tif 000007
【図７】
0004814901.tif 000008
【図８】
0004814901.tif 000009
【図９】
0004814901.tif 000010
【図１０】
0004814901.tif 000011
【図１１】
0004814901.tif 000012